(57)【要約】【課題】ワイヤハーネスの省線化と小型化を実現し得る、新規な構造の電気部品接続ユニットおよびそれを増設可能な電気接続箱を提供すること。【解決手段】内部回路１６を備えた電気接続箱１２に組み付けられる電気部品接続ユニット１０であって、内部回路１６に導通される第一中継端子２８と、電線６２端末に導通固着された第二中継端子３０と、電気部品６８が装着される電気部品装着部７０と、第一中継端子２８を収容保持する第一中継端子収容部７６と、第二中継端子３０を収容保持する第二中継端子収容部７８を有するハウジング３２とを備え、電気部品装着部７０に装着された電気部品６８のリード部８４が第一中継端子２８および第二中継端子３０と接続されるようになっている一方、ハウジング３２が電気接続箱１２に組み付けられることにより第一中継端子２８が内部回路１６に導通されて電源供給を受けるようにした。【選択図】図５
2016220303.tif 000002
【特許請求の範囲】
【請求項１】
内部回路を備えた電気接続箱に組み付けられる電気部品接続ユニットであって、
前記内部回路に導通される第一中継端子と、
電線端末に導通固着された第二中継端子と、
電気部品が装着される電気部品装着部と、前記第一中継端子を収容保持する第一中継端子収容部と、前記第二中継端子を収容保持する第二中継端子収容部を有するハウジングとを備え、
前記電気部品装着部に装着された前記電気部品のリード部が前記第一中継端子および前記第二中継端子と接続されるようになっている一方、
前記ハウジングが前記電気接続箱に組み付けられることにより前記第一中継端子が前記内部回路に導通されて電源供給を受けるようになっている
ことを特徴とする電気部品接続ユニット。
【請求項２】
前記第一中継端子が前記内部回路に接続される接続部を有しており、該接続部が、前記内部回路に圧接されて導通される圧接片を有している請求項１に記載の電気部品接続ユニット。
【請求項３】
前記第二中継端子が前記電線端末に露呈された芯線に圧着される芯線圧着部を有している請求項１または２に記載の電気部品接続ユニット。
【請求項４】
前記第一中継端子および前記第二中継端子が、前記電気部品の前記リード部が挿通される筒体部と、該筒体部の内方に突出して前記リード部に圧接される弾性舌片を有している請求項１〜３の何れか１項に記載の電気部品接続ユニット。
【請求項５】
ケース内に内部回路を備えると共に電気部品接続ユニットを増設可能な電気接続箱であって、
前記電気部品接続ユニットとして、請求項１〜４の何れか１項に記載の電気部品接続ユニットを用いる一方、
前記ケースに組み付けられた前記電気部品接続ユニットの前記第一中継端子が、前記内部回路に導通されて電源供給を受けるようになっている
ことを特徴とする電気部品接続ユニットを増設可能な電気接続箱。
【請求項６】
前記電気部品接続ユニットとして、請求項２に記載の電気部品接続ユニットを用いる一方、前記ケースの表面に前記電気部品接続ユニットが着脱自在に組み付けられるユニット装着部を設け、該ユニット装着部の底面に貫通された貫通孔に前記第一中継端子の前記接続部が挿通され該接続部の前記圧接片が前記内部回路に圧接されるようになっている請求項５に記載の電気部品接続ユニットを増設可能な電気接続箱。
【発明の詳細な説明】
【技術分野】
【０００１】
本発明は、リレーやヒューズ等の電気部品が接続可能な電気部品接続ユニットおよびそれを増設可能な電気接続箱に関するものである。
【背景技術】
【０００２】
従来から、自動車の電装系にはヒューズボックス、ジャンクションボックス等の電気接続箱が用いられており、電気配線の効率化やメンテナンス性の向上が図られている。近年では、自動車のグレード違い等による回路変更に柔軟に対応可能とするために、ハイグレードの場合にのみ利用されるリレーやヒューズ等の電気部品が接続可能な電気部品接続部を電気接続箱内に予め設けておくことが行われている。例えば、特開２０１２−１６５５９３号公報（特許文献１）に記載のものが、それである。
【０００３】
しかしながら、このような構造の電気接続箱では、ハイグレードの場合に合せて電気部品装着部が形成されていることから、ローグレードの場合に使用されない電気部品装着部が存在して無駄になるという問題を内在していた。
【０００４】
この点を改善するため、例えば、特開２０１３−２４３８５８号公報（特許文献２）には、ハイグレードの場合等追加の電気部品装着部が必要な場合に、追加の電気部品装着ユニット等を備えた付設ボックスを電気接続箱に対して組み付けて用いられるようにした付設ボックス付電気接続箱が提案されている。かかる構造の電気接続箱によれば、ローグレードの場合等追加の電気部品装着ユニットが不要な場合には、付設ボックスが組み付けられていないことから、無駄な電気部品装着ユニットの使用をなくすことができる。
【０００５】
しかしながら、このような付設ボックス付電気接続箱においては、電気接続箱と付設ボックスのそれぞれに電源供給用のワイヤハーネスを接続する必要があると共に、電気接続箱内の回路と付設ボックス内の回路を接続するワイヤハーネスも必要となることから、ワイヤハーネスの省線化や回路構造の簡素化を図り得る余地があった。さらに、それらワイヤハーネスを収容する空間を付設ボックス内に設ける必要があり、省スペース化には限界があった。
【先行技術文献】
【特許文献】
【０００６】
【特許文献１】特開２０１２−１６５５９３号公報
【特許文献２】特開２０１３−２４３８５８号公報
【発明の概要】
【発明が解決しようとする課題】
【０００７】
本発明は、上述の事情を背景に為されたものであって、その解決課題は、ワイヤハーネスの省線化と小型化を実現し得る、新規な構造の電気部品接続ユニットおよびそれを増設可能な電気接続箱を提供することにある。
【課題を解決するための手段】
【０００８】
電気部品接続ユニットに関する本発明の第一の態様は、内部回路を備えた電気接続箱に組み付けられる電気部品接続ユニットであって、前記内部回路に導通される第一中継端子と、電線端末に導通固着された第二中継端子と、電気部品が装着される電気部品装着部と、前記第一中継端子を収容保持する第一中継端子収容部と、前記第二中継端子を収容保持する第二中継端子収容部を有するハウジングとを備え、前記電気部品装着部に装着された前記電気部品のリード部が前記第一中継端子および前記第二中継端子と接続されるようになっている一方、前記ハウジングが前記電気接続箱に組み付けられることにより前記第一中継端子が前記内部回路に導通されて電源供給を受けるようになっていることを特徴とする。
【０００９】
本態様によれば、ハウジングと、ハウジング内に収容保持された第一中継端子およびハウジング内に収容され電線端末に導通固着された第二中継端子によって電気部品接続ユニットが構成されており、このような電線端末に設けられた電気部品接続ユニットのハウジングが電気接続箱に組み付けられることにより、第一中継端子が電気接続箱の内部回路に導通されて電源供給を受けるようになっている。それゆえ、電線端末に設けた本発明の電気部品接続ユニットを電気接続箱に組み付けるだけで、電気部品接続ユニットへの電源供給が行われる。従って、従来構造では、電気接続箱用の電源供給用ワイヤハーネスに加えて、付設ボックス内の電気部品接続ユニット用の電源供給用ワイヤハーネスが必要であったが、電気部品接続ユニット用の電源供給用ワイヤハーネスを不要とすることができる。これにより、一般的に最も太線とされている電源供給用のワイヤハーネスを省略でき、ワイヤハーネスの省線化やそれに伴うワイヤハーネスの軽量化、低コスト化を図ることができる。
【００１０】
しかも、従来構造の付設ボックスのように電気部品接続ユニット用の電源供給用ワイヤハーネスを収容する空間を設ける必要がなくなることから、電気部品接続ユニット自体の小型化を実現でき、近年の省スペース化への対応も容易となる。
【００１１】
なお、第一中継端子は、内部回路に導通されて電源供給を受けるようになっていればよく、例えば、内部回路の電源供給路に直接接続されるものや他の内部回路を介して間接的に電源供給路に接続されているものの何れをも含む。
【００１２】
電気部品接続ユニットに関する本発明の第二の態様は、前記第一の態様に記載の電気部品接続ユニットにおいて、前記第一中継端子が前記内部回路に接続される接続部を有しており、該接続部が、前記内部回路に圧接されて導通される圧接片を有しているものである。
【００１３】
本態様によれば、第一中継端子の接続部が圧接片を有していることから、例えば、内部回路を構成するプリント基板やバスバーに設けられたスルーホールに第一中継端子の接続部を挿通して圧接片を圧接することにより、ハンダレスで内部回路に第一中継端子を導通接続することが可能となる。これにより、オプション用として用いられる電気部品接続ユニットを電気接続箱へ着脱自在に組み付けることが可能となり、グレード違い等による回路変更への対応が一層容易に行うことが可能となる。
【００１４】
電気部品接続ユニットに関する本発明の第三の態様は、前記第一または第二の態様に記載の電気部品接続ユニットにおいて、前記第二中継端子が前記電線端末に露呈された芯線に圧着される芯線圧着部を有しているものである。
【００１５】
本態様によれば、第二中継端子の電線端末への接続を一層安定して強固に行うことが可能となる。
【００１６】
電気部品接続ユニットに関する本発明の第四の態様は、前記第一乃至第三の何れか一つの態様に記載の電気部品接続ユニットにおいて、前記第一中継端子および前記第二中継端子が、前記電気部品の前記リード部が挿通される筒体部と、該筒体部の内方に突出して前記リード部に圧接される弾性舌片を有しているものである。
【００１７】
本態様によれば、筒体部の内部にリード部を挿通させて筒体部の内方に突出する弾性舌片に対してリード部を確実に接続させることができる。さらに、弾性舌片が筒体部の内部空間に突出するものであるから、ばね性を有利に確保することができ、音叉状端子等の場合に比して電気部品の挿入力の低減を図ることができる。
【００１８】
電気部品接続ユニットを増設可能な電気接続箱に関する本発明の第一の態様は、ケース内に内部回路を備えると共に電気部品接続ユニットを増設可能な電気接続箱であって、前記電気部品接続ユニットとして、前記第一乃至第四の何れか一つの態様に記載の電気部品接続ユニットを用いる一方、前記ケースに組み付けられた前記電気部品接続ユニットの前記第一中継端子が、前記内部回路に導通されて電源供給を受けるようになっていることを特徴とする。
【００１９】
本態様によれば、ケースに組み付けられた本発明の電気部品接続ユニットの第一中継端子を内部回路に導通させることにより、電気部品接続ユニットに電源供給が行われることから、従来必要であった電気部品接続ユニット用の電源供給用ワイヤハーネスを不要とすることができる。これにより、一般的に最も太線とされている電源供給用のワイヤハーネスを省略でき、ワイヤハーネスの省線化やそれに伴うワイヤハーネスの軽量化、低コスト化を図ることができる。しかも、電気部品接続ユニット用の電源供給用ワイヤハーネスを収容する空間を設ける必要がないことから、電気部品接続ユニット自体や電気接続箱全体の小型化を実現でき、近年の省スペース化への対応も容易となる。
【００２０】
なお、電気部品接続ユニットはケースに組み付けられていればよく、例えば、電気部品接続ユニットの第一中継端子を内部回路に予めポイント半田付け等で接続しておき、ケース内に収容して組み付けてもよいし、ケースの表面に電気部品接続ユニットを組み付けてケース内部に第一中継端子の接続部を挿入させてプレスフィット等により内部回路に圧接により接続するようにしてもよい。
【００２１】
電気部品接続ユニットを増設可能な電気接続箱に関する本発明の第二の態様は、前記第一の態様に記載の電気部品接続ユニットを増設可能な電気接続箱において、前記電気部品接続ユニットとして、前記第二の態様に記載の電気部品接続ユニットを用いる一方、前記ケースの表面に前記電気部品接続ユニットが着脱自在に組み付けられるユニット装着部を設け、該ユニット装着部の底面に貫通された貫通孔に前記第一中継端子の前記接続部が挿通され該接続部の前記圧接片が前記内部回路に圧接されるようになっているものである。
【００２２】
本態様によれば、電気接続箱のケースの表面に電気部品接続ユニットが着脱自在に組み付けられるユニット装着部が設けられている一方、電気部品接続ユニットの第一中継端子の接続部が圧接片を含んで構成されている。さらに、ユニット装着部の底面には貫通孔が貫設されており、ユニット装着部に装着された電気部品接続ユニットの第一中継端子の接続部が貫通孔を挿通してケース内に突設されて、接続部の圧接片が内部回路に圧接されるようになっている。これにより、半田付け等の煩雑な接続工程を要することなく、電気接続箱のケースの表面に電気部品接続ユニットを着脱するだけの簡単な操作により、電気接続箱が電気部品接続ユニットが増設された回路構成と、増設されない回路構成を択一的に構成することが可能となる。
【発明の効果】
【００２３】
本発明によれば、ハウジングと、ハウジング内に収容保持された第一中継端子およびハウジング内に収容され電線端末に導通固着された第二中継端子によって電気部品接続ユニットが構成されており、このような電線端末に設けられた電気部品接続ユニットのハウジングが電気接続箱に組み付けられることにより、第一中継端子が電気接続箱の内部回路に導通されて電源供給を受けるようになっている。これにより、電気部品接続ユニット用の電源供給用ワイヤハーネスを不要とできることから、一般的に最も太線とされている電源供給用のワイヤハーネスを省略でき、ワイヤハーネスの省線化やそれに伴うワイヤハーネスの軽量化、低コスト化を図ることができる。しかも、従来構造の付設ボックスのように電気部品接続ユニット用の電源供給用ワイヤハーネスを収容する空間を設ける必要がなくなることから、電気部品接続ユニット自体の小型化を実現でき、近年の省スペース化への対応も容易となる。
【図面の簡単な説明】
【００２４】
【図１】本発明の第一の実施形態としての電気部品接続ユニットが組み付けられた電気接続箱を示す斜視図。
【図２】図１におけるＩＩ−ＩＩ断面を示す拡大斜視図。
【図３】図１に示す電気接続箱の分解斜視図。
【図４】図３に示す電気部品接続ユニットの底面拡大図。
【図５】図３に示す電気部品接続ユニットの分解拡大斜視図。
【図６】図５に示す第一中継端子の拡大斜視図。
【図７】図６の左側面図。
【図８】図６の正面図。
【図９】図６の平面図。
【図１０】図５に示す電線端末に導通固着された第二中継端子の拡大斜視図。
【図１１】図１０の左側面図。
【図１２】図１０の平面図。
【図１３】本発明の第二の実施形態としての電気部品接続ユニットを示す平面図。
【発明を実施するための形態】
【００２５】
以下、本発明の実施形態について、図面を参照しつつ説明する。
【００２６】
先ず、図１〜１2 を用いて、本発明の第一の実施形態としての電気部品接続ユニット１０について説明を行う。図１〜３には、本発明の第一の実施形態としての電気部品接続ユニット１０が組み付けられることにより、電気部品接続ユニット１０が増設された電気接続箱１２が示されている。電気接続箱１２は、ケース１４と、ケース１４内に収容される内部回路を構成する回路基板１６と、を備えて構成されている。なお、以下の説明において、上方とは、図２中の上方、下方とは、図２中の下方、前方とは、図２中の手前方向、後方とは、図２中の奥方を言うものとする。
【００２７】
ケース１４は、アッパケース１４ａとロアケース１４ｂを含んで構成されており、いずれも、例えばポリプロピレン（ＰＰ）、ポリアミド（ＰＡ）等の合成樹脂により射出成形等によって一体形成されている。アッパケース１４ａとロアケース１４ｂは、図２に示されているように、互いに相手側に向けて開口する略矩形浅底の略矩形箱体形状を有しており、それらの開口部を重ね合わせて組み付けることにより、ケース１４の内部に回路基板１６が収容された電気接続箱１２が提供されるようになっている。なお、ケース１４は、例えば、アッパケース１４ａに設けられた図示しない係止爪が、ロアケース１４ｂの対応する箇所に設けられた図示しない係合枠に挿通されて係合されることで、相互に組み付けられるようになっている。
【００２８】
アッパケース１４ａの表面１８には、図１〜３に示されているように、電気部品接続ユニット１０が組み付けられるユニット装着部２０が設けられている。ユニット装着部２０は、上方および前方に向かって開口する略横長矩形断面形状を有する凹所とされており、底面２２には、後述する第一中継端子２８の接続部４４が挿通される１０対の貫通孔２４が貫設されている。
【００２９】
回路基板１６は、平面視でロアケース１４ｂと略同一の縦長矩形状を有する板形状とされている。回路基板１６の中央部分には、例えば集積回路や抵抗等の各種電気部品が適宜に設けられている一方、回路基板１６の前端側において、アッパケース１４ａのユニット装着部２０の貫通孔２４に対応する部位には、スルーホール２６が貫設されている（図２参照）。そして、スルーホール２６の内壁には、回路基板１６の内部配線に導通されためっき層が形成されている。
【００３０】
電気部品接続ユニット１０は、図５に示されているように、第一中継端子２８と、第二中継端子３０と、ハウジング３２と、を備えて構成されている。第一中継端子２８は、例えば銅板等の表面に錫等のめっきが施された金属板がプレス打ち抜き加工および屈曲加工されて形成されている。かかる第一中継端子２８は、図６〜９に示されているように、略矩形筒状の筒体部３４を有しており、かかる上下方向に開口する筒体部３４の内部により、挿通孔３６が構成されている。また、第一中継端子２８の一方の対向する側壁３８ａ，３８ｂの上下方向の中央部分には、挿通孔３６の内方に向かって突出する一対の弾性舌片４０，４０が形成されている（図９参照）。より詳細には、側壁３８ａに形成されている弾性舌片４０は、側壁３８ａの上下方向の中央部分の側面視で略矩形状の領域が、例えばプレス加工によって略台形断面形状で突出して形成されている（図６参照）。一方、側壁３８ｂに形成されている弾性舌片４０は、上下方向に平行に延びる一対のスリット４２，４２によって挟まれた部位が、上下側の端部が一方の対向する側壁３８ｂと連結された状態で、第一中継端子２８の内方に向かって突出して形成されている（図７及び図９参照）。さらに、図６に示されているように、第一中継端子２８の対向する側壁３８ａ，３８ｂの一方の対角部分の基端部には、下方に向かって突出する棒状の接続部４４が形成されている。そして、かかる接続部４４の突出先端部には、下方に向かって突出する圧接片４６が設けられている。圧接片４６は、その中央部分において突出方向（図７中、上下方向）に延びるスリット４８を挟んだ両側部分を、板厚方向（図８中、左右方向）に対して相互に逆方向に押出し加工を行うことにより形成されている。これにより、圧接片４６は、板厚方向（図８中、左右方向）に対して弾性変形可能とされている。
【００３１】
第二中継端子３０は、例えば銅板等の表面に錫等のめっきが施された金属板がプレス打ち抜き加工および屈曲加工されて形成されている。かかる第二中継端子３０は、図１０〜１２に示されているように、略矩形筒状の筒体部５０を有しており、かかる上下方向に開口する筒体部５０の内部により、挿通孔５２が構成されている。また、第二中継端子３０の一方の対向する側壁５４ａ，５４ｂの上下方向の中央部分には、挿通孔５２の内方に向かって突出する一対の弾性舌片５６，５６が形成されている。より詳細には、側壁５４ａに形成されている弾性舌片５６は、側壁５４ａの上下方向の中央部分の側面視で略矩形状の領域が、例えばプレス加工によって略台形断面形状で突出して形成されている（図１０参照）。一方、側壁５４ｂに形成されている弾性舌片５６は、上下方向に平行に延びる一対のスリット５８，５８によって挟まれた部位が、上下側の端部が一方の対向する側壁５４ｂと連結された状態で、第二中継端子３０の内方に向かって突出して形成されている（図１１〜１２参照）。さらに、第二中継端子３０の対向する他方の対向する側壁５４ｃ，５４ｄの一方の側壁５４ｃの基端部には、側壁５４ｃに直交する外方に向かって突出する電線圧着部６０が設けられている。電線圧着部６０は被覆電線圧着部６０ａと芯線圧着部６０ｂを有しており、被覆電線６２の端末に対して、被覆電線圧着部６０ａが被覆電線６２に圧着される一方、被覆電線６２の端末に露呈された芯線６４に対して芯線圧着部６０ｂが圧着されるようになっている。これにより、被覆電線６２の端末に対して安定して強固に導通固着された第二中継端子３０ができあがる。
【００３２】
ハウジング３２は、図５に示されているように、略横長ブロック形状とされており、例えばポリプロピレン（ＰＰ）、ポリアミド（ＰＡ）等の合成樹脂により射出成形等によって一体形成されている。ハウジング３２の上面６６には、電気部品であるヒューズ６８が装着される複数（本実施形態では１０個）の電気部品装着部たるヒューズ装着部７０が設けられている。各ヒューズ装着部７０は、上方に向かって開口する略矩形箱体状とされている。また、各ヒューズ装着部７０の底壁には、板厚方向に貫設された略矩形断面形状の一対のリード部挿通孔７２，７２が貫設されている。一方、ハウジング３２の底面７４には、図４に示されているように、第一中継端子２８を収容保持する第一中継端子収容部７６と、第二中継端子３０を収容保持する第二中継端子収容部７８を有している。第一中継端子収容部７６と第二中継端子収容部７８は略同一形状を有しており、いずれも下方に向かって開口する略矩形箱体状とされている。また、第二中継端子収容部７８において、外壁の一部が略Ｕ字状に切り欠かれることにより下方および第二中継端子収容部７８と外方（図４中、右方）に向かって開口する切欠部８０が形成されると共に、切欠部８０の周縁部から外方（図４中、右方）に向かって樋状に延出する圧着部保護カバー８２が形成されている。
【００３３】
このような構成とされた電気部品接続ユニット１０のハウジング３２の第一中継端子収容部７６と第二中継端子収容部７８に対して、第一中継端子２８と、被覆電線６２の端末に導通固着された第二中継端子３０を先端側から挿通配置されるようになっている。この際、図示しない係合機構によって、第一中継端子２８と第二中継端子３０が、第一中継端子収容部７６と第二中継端子収容部７８内に安定して収容保持されている。かかる状態において、第一中継端子２８と第二中継端子３０の挿通孔３６，５２が、各リード部挿通孔７２に対応する位置に配設されていると共に、第二中継端子３０に導通固着された被覆電線６２が圧着部保護カバー８２の延出端部から外方に向かって延び出して、図示しない外部の電気回路に接続されるようになっている。最後に、所望（本実施形態では５個）のヒューズ装着部７０に対してヒューズ６８をリード部８４側から装着する。これにより、被覆電線６２の端末に設けられた電気部品接続ユニット１０において、ヒューズ装着部７０に装着されたヒューズ６８の一対のリード部８４，８４がそれぞれ、各リード部挿通孔７２を挿通して、第一中継端子２８と第二中継端子３０の筒体部３４，５０の挿通孔３６，５２に挿通配置されるようになっている（図４参照）。その結果、ヒューズ６８の各リード部８４の厚さ方向両側から、それぞれ一対の弾性舌片４０，４０と一対の弾性舌片５６，５６が各リード部８４に圧接される。これにより、ヒューズ６８の各リード部８４がそれぞれ、第一中継端子２８と第二中継端子３０と接続されるようになっている。なお、第一中継端子２８と接続されるヒューズ６８のリード部８４は、電源側のリード部８４とされている。
【００３４】
このような構成とされた電気部品接続ユニット１０のハウジング３２が、電気接続箱１２のアッパケース１４ａの表面１８に設けられたユニット装着部２０に組み付けられる。これにより、第一中継端子２８の基端部に設けられた接続部４４が、ユニット装着部２０の底面２２に貫設された貫通孔２４を挿通して、接続部４４の先端部に形成された圧接片４６が回路基板１６のスルーホール２６に直接圧接されるようになっている（図２参照）。スルーホール２６の内壁には、回路基板１６の内部配線に導通されためっき層が形成されていることから、回路基板１６のスルーホール２６の内壁に圧接されて回路基板１６の内部配線に導通された圧接片４６すなわち接続部４４を介して、第一中継端子２８が回路基板１６の内部配線に導通接続されるようになっているのである。このように、第一中継端子２８が回路基板１６の内部配線にハンダレスで圧接により導通接続されるようになっていることから、電気部品接続ユニット１０を電気接続箱１２へ着脱自在に組み付けることが可能となり、グレード違い等による回路変更への対応が一層容易に行うことが可能となる。なお、図２では、理解を容易とするために、１つのヒューズ装着部７０のみにヒューズ６８が装着されると共に、かかるヒューズ装着部７０に対応する１つの第一中継端子収容部７６のみに第一中継端子２８が収容配置されている。また、第一中継端子２８と接続されるヒューズ６８のリード部８４が電源側のリード部８４とされていることから、アッパケース１４ａのユニット装着部２０に組み付けられた電気部品接続ユニット１０の第一中継端子２８が、回路基板１６の内部配線に導通接続されて、電源供給を受けるようになっている。
【００３５】
このような構造とされた電気部品接続ユニット１０によれば、アッパケース１４ａのユニット装着部２０に組み付けられた電気部品接続ユニット１０の第一中継端子２８を回路基板１６の内部配線に導通接続させることにより、電気部品接続ユニット１０に対して電源供給が行われるようになっている。これにより、従来必要であった電気部品接続ユニット用の電源供給用ワイヤハーネスを不要とできることから、一般的に最も太線とされている電源供給用のワイヤハーネスを省略でき、ワイヤハーネスの省線化やそれに伴うワイヤハーネスの軽量化、低コスト化を図ることができる。しかも、従来構造の付設ボックスのように電源供給用ワイヤハーネスを収容する空間を設ける必要がなくなることから、電気部品接続ユニット１０自体の小型化を実現でき、近年の省スペース化への対応も容易となる。
【００３６】
また、第一中継端子２８が回路基板１６の内部配線にハンダレスで圧接により導通接続されるようになっていることから、電気部品接続ユニット１０を電気接続箱１２へ着脱自在に組み付けることが可能となっている。これにより、半田付け等の煩雑な接続工程を要することなく、電気接続箱１２のユニット装着部２０に電気部品接続ユニット１０を着脱するだけの簡単な操作により、電気接続箱１２が電気部品接続ユニット１０が増設された回路構成と、増設されない回路構成を択一的に構成することができる。
【００３７】
加えて、第一中継端子２８と第二中継端子３０の筒体部３４，５０の内部の挿通孔３６，５２にヒューズ６８のリード部８４を挿通させて、筒体部３４，５０の内方に突出する一対の弾性舌片４０，４０，５６，５６に圧接させることから、第一中継端子２８と第二中継端子３０の筒体部３４，５０に対してヒューズ６８のリード部８４を確実に接続させることができる。また、弾性舌片４０，５６が、第一中継端子２８と第二中継端子３０の筒体部３４，５０の内部の挿通孔３６，５２に突出されていることから、ばね性を有利に確保することができ、従来の如き音叉状端子等の場合に比してヒューズ６８等の電気部品の挿入力の低減を図ることができる。
【００３８】
次に、図１３を用いて、本発明の第二の実施形態としての電気部品接続ユニット８６について詳述するが、上記実施形態と同様な構造とされた部材および部位については、図中に、上記実施形態と同一の符号を付することにより、それらの詳細な説明を省略する。かかる電気部品接続ユニット８６は、電気部品接続ユニット８６に装着される電気部品がリレー８８である点に関して、上記第一の実施形態と異なる実施形態を示すものである。より詳細には、電気部品がヒューズ６８からリレー８８に変わることによりリード部８４が２個から４個に増加したことに伴い、入力信号用の一対のリード部８４，８４として被覆電線６２の端末に導通固着された第二中継端子３０が１個から２個に増加されていると共に、電源側のリード部８４が接続される第一中継端子２８に加えて機器側のリード部８４が接続される第一中継端子２８と同形状の第三中継端子９０が新たに設けられている。本実施形態においては、上記第一の実施形態と比して、電気部品がヒューズ６８からリレー８８に伴いリレー８８のリード部８４に対応した構成とした点が異なるだけであることから、上記第一の実施形態と略同様の効果を得ることができる。なお、図１３では、理解を容易とするために、中継端子２８，３０，９０を仮想線で記載している。
【００３９】
以上、本発明の複数の実施形態について詳述したが、本発明はこれらの具体的な記載によって限定されない。例えば、第一中継端子２８は、回路基板１６の内部配線に導通されて電源供給を受けるようになっていればよく、例えば、回路基板１６の内部配線の電源供給路に直接接続されていてもよいし、回路基板１６内の別回路を介して間接的に電源供給路に接続されていてもよい。また、上記実施形態では、第一中継端子２８は電気部品接続ユニット１０内に装着されており、アッパケース１４ａのユニット装着部２０に電気部品接続ユニット１０を組み付けることにより第一中継端子２８の接続部４４が回路基板１６の内部配線にハンダレスで圧接により導通接続されるようになっていたが、第一中継端子２８を予めアッパケース１４ａのユニット装着部２０にポイント半田付け等で接続しておき、ユニット装着部２０に電気部品接続ユニット１０を組み付ける際に第一中継端子２８を電気部品接続ユニット１０の第一中継端子収容部７６内に収容するようにしてもよい。
【符号の説明】
【００４０】
１０，８６：電気部品接続ユニット、１２：電気接続箱、１４：ケース、１４ａ：アッパケース、１４ｂ：ロアケース、１６：回路基板（内部回路）、１８：表面、２０：ユニット装着部、２２：底面、２４：貫通孔、２８：第一中継端子、３０：第二中継端子、３２：ハウジング、３４：筒体部、４０：弾性舌片、４４：接続部、４６：圧接片、５０：筒体部、５６：弾性舌片、６０ｂ：芯線圧着部、６２：被覆電線（電線）、６４：芯線、６８：ヒューズ（電気部品）、７０：ヒューズ装着部（電気部品装着部）、７６：第一中継端子収容部、７８：第二中継端子収容部、８４：リード部、８８：リレー（電気部品）
【図１】
2016220303.tif 000003
【図２】
2016220303.tif 000004
【図３】
2016220303.tif 000005
【図４】
2016220303.tif 000006
【図５】
2016220303.tif 000007
【図６】
2016220303.tif 000008
【図７】
2016220303.tif 000009
【図８】
2016220303.tif 000010
【図９】
2016220303.tif 000011
【図１０】
2016220303.tif 000012
【図１１】
2016220303.tif 000013
【図１２】
2016220303.tif 000014
【図１３】
2016220303.tif 000015